(57)【特許請求の範囲】
【請求項１】
側枠フレームの左右の側枠部の前面に、機器取り付け用の背面板の左右に形成された固定部を着脱自在に取り付けて箱本体部を構成し、該箱本体部の前面側を被覆する箱状のカバーを備え、鉛直な壁面に取付けられる電気電子機器収納用箱であって、
前記背面板は略コ字状に構成されたものであって、前記固定部と、その内側から奥行方向に延びる側面部と、該側面部よりも背面側に位置する背面部とから構成されたものであり、
前記背面板の側面部を側枠フレームの奥行き長さよりも長く形成することにより、該機器取り付け用の背面板を、その背面部が該側枠フレームの奥行き長さを超えた位置に配置されるように取り付けて、該機器取り付け用の背面板と側枠フレーム間の上下端部に、放熱用の開口部を設けたことを特徴とする電気電子機器収納用箱。
【請求項２】
鉛直な壁面に請求項１記載の電気電子機器収納用箱を取り付ける方法であって、該機器取り付け用の背面板の背面部を当接させて、該電気電子機器収納用箱を壁面に固定することを特徴とする電気電子機器収納用箱の壁面取り付け方法。
【請求項３】
鉛直な壁面に請求項１記載の電気電子機器収納用箱を取り付ける方法であって、該機器取り付け用の背面板の背面部の奥行き長さを超える位置で、壁面と当接する底上げ部を介在させて該電気電子機器収納用箱を壁面に固定することを特徴とする電気電子機器収納用箱の壁面取り付け方法。
【発明の詳細な説明】
【技術分野】
【０００１】
本発明は、電気電子機器収納用箱およびその壁面取り付け方法に関するものである。
【背景技術】
【０００２】
近年、各家庭にＡＤＳＬやＦＴＴＨ等のブロードバンドインターネット環境が普及している。また、一般家庭において、複数のパーソナルコンピュータをインターネットに接続することも増加している。このように、複数のパーソナルコンピュータをインターネットに接続する場合には、ブロードバンドルータやＨＵＢ等の複数の電気電子機器が必要となる。
【０００３】
これらのブロードバンドルータやＨＵＢ等の電気電子機器をまとめて収納する電気電子機器収納用箱に関し、本願出願人は、特許文献１に示す構造の電気電子機器収納用箱により、電気電子機器の取り付け作業を容易にする技術を開示している。
【０００４】
特許文献１に記載の電気電子機器収納用箱は、電気電子機器が取り付けられる機器取付部と、この機器取付部を被覆するカバー部材とから構成され、該カバー部材は樹脂で成型され、その上部や下部には、通気孔が形成されている。
【０００５】
しかし、該電気電子機器収納用箱に収納される電気電子機器が、例えばモデム等、放熱量が大きいものの場合には、該箱体内で放熱された熱が該箱体外に速やかに放熱されずに該箱体内に籠もって該箱体内の内部温度を上昇させ、内部機器の熱劣化の要因となる問題があった。
【０００６】
また、特許文献１に記載の電気電子機器収納用箱は、平板形状の機器取付部を壁面に取り付け、該機器取付部に直接カバー部材を取り付ける構成を有するため、該機器取付部に取り付けられる電気電子機器が嵩高いものであって、該機器取付部とカバー部材とで覆われて形成される空間（以下、有効体積という）を大きく確保することが必要となる場合には、例えば、カバー部材の設計変更により壁面からの高さを確保しており、カバー部材の設計変更に伴い製造コストが高くなるという問題があった。
【先行技術文献】
【特許文献】
【０００７】
【特許文献１】特開２００９−９４０９２号公報
【発明の概要】
【発明が解決しようとする課題】
【０００８】
本発明の目的は前記問題を解決し、放熱性に優れ、かつ、低コストで有効体積の確保が可能な電気電子機器収納用箱およびその壁面取り付け方法を提供することである。
【課題を解決するための手段】
【０００９】
上記課題を解決するためになされた本発明の電気電子機器収納用箱は、側枠フレームの左右の側枠部の前面に、機器取り付け用の背面板の左右に形成された固定部を着脱自在に取り付けて箱本体部を構成し、該箱本体部の前面側を被覆する箱状のカバーを備え、鉛直な壁面に取付けられる電気電子機器収納用箱であって、前記背面板は略コ字状に構成されたものであって、前記固定部と、その内側から奥行方向に延びる側面部と、該側面部よりも背面側に位置する背面部とから構成されたものであり、前記背面板の側面部を側枠フレームの奥行き長さよりも長く形成することにより、該機器取り付け用の背面板を、その背面部が該側枠フレームの奥行き長さを超えた位置に配置されるように取り付けて、該機器取り付け用の背面板と側枠フレーム間の上下端部に、放熱用の開口部を設けたことを特徴とするものである。
【００１０】
請求項２記載の発明は、鉛直な壁面に請求項１記載の電気電子機器収納用箱を取り付ける方法であって、該機器取り付け用の背面板の背面部を当接させて、該電気電子機器収納用箱を壁面に固定することを特徴とするものである。
【００１１】
請求項３記載の発明は、鉛直な壁面に請求項１記載の電気電子機器収納用箱を取り付ける方法であって、該機器取り付け用の背面板の背面部の奥行き長さを超える位置で、壁面と当接する底上げ部を介在させて該電気電子機器収納用箱を壁面に固定することを特徴とするものである。
【発明の効果】
【００１２】
本発明に係る電気電子機器収納用箱は、鉛直な壁面に取付けて使用されるものであり、側枠フレームの左右の側枠部の前面に、機器取り付け用の背面板の左右に屈曲形成された固定部を着脱自在に取り付けて箱本体部を構成し、該箱本体部の前面側を被覆する箱状のカバーを備える電気電子機器収納用箱であって、前記背面板は略コ字状に構成されたものであって、前記固定部と、その内側から奥行方向に延びる側面部と、該側面部よりも背面側に位置する背面部とから構成されたものとした。そして背面板の側面部を側枠フレームの奥行き長さよりも長く形成することにより、該機器取り付け用の背面板を、その背面部が側枠部の奥行き長さを超えた位置に配置されるように取り付けて、該背面板と側枠フレーム間の上下端部に放熱用の開口部を設ける構成により、壁面と側枠フレームの間に空隙が形成され、熱を空隙から排出させる。また、該箱体内の機器から発生した熱を該カバーの通気孔から排出するとともに、背面板の上下に設けた放熱用の開口部から、より効果的に排出することができる。また、該機器取り付け用の背面板を、その背面部が側枠部の奥行き長さを超えた位置に配置されるように取り付ける構成により、カバー部材の設計変更といった高コストとなる手段によらず、該機器取付部とカバー部材とで覆われて形成される空間（有効体積）を大きく確保することができる。
【図面の簡単な説明】
【００１３】
【図１】本発明に係る電気電子機器収納用箱の全体斜視図である。
【図２】図1からカバーを取り外した状態図である。
【図３】機器取り付け部に電気電子機器を取り付けた状態図である。
【図４】側枠部に固定された背面側機器取り付け部の説明図である。
【図５】左右側枠部に固定された背面側機器取り付け部の説明図である。
【図６】上下側枠部に固定された背面側機器取り付け部の説明図である。
【図７】左右側枠部に固定された他の背面側機器取り付け部の他の実施例である。
【図８】左右側枠部に固定された他の背面側機器取り付け部の他の実施例である。
【図９】電気電子機器収納用箱を壁面に取り付けた側面図である。
【図１０】電気電子機器収納用箱を壁面に取り付けた側面図である。
【図１１】他の実施形態の説明図である。
【発明を実施するための形態】
【００１４】
以下に本発明の好ましい実施形態を示す。
【００１５】
図１に示すようには、本発明に係る電気電子機器収納用箱１の全体斜視図を示し、図２には、図1からカバー３を取り外した状態図を示し、図３には、図２において機器取り付け用の背面板５および機器取り付け板１１に電気電子機器７を取り付けた状態図を示している。図示の通り本発明の電気電子機器収納用箱は鉛直な壁面に取付けて使用されるものである。該機器取り付け用の背面板５に取り付けられる電気電子機器７とは、例えば、コンセントや光接続箱や分配器などが収納された収納機器等をいう。該カバー３は、樹脂で構成され、その上下に放熱用のカバー放熱部４を設けている。
【００１６】
図２に示すように、本発明に係る電気電子機器収納用箱１の箱本体部は、側枠フレーム２に機器取り付け用の背面板５を取り付けて構成されている。側枠フレーム２には、枠体周縁に機器取り付け用の背面板５を取り付けるための取付手段６を複数ヵ所設けている。
【００１７】
機器取り付け用の背面板５は、格子状に形成して、面ファスナー等のバンドで固定して必要に応じてねじ止めする構造であっても良いし、板状の構造であってもよい。該機器取り付け用の背面板５には、図３に示すように、電気電子機器７が取り付けられる。
【００１８】
なお、図２には、機器取り付け用の背面板５の他に、機器取り付け板１１を側枠フレーム２に取り付ける構成を示しているが、機器取り付け板１１の有無や数は特に限定されない。側枠フレーム２には、機器取り付け板１１を追加して取り付けるための取付穴１２を設けている。図２に示す実施形態では、取付穴１２を設け、取付穴１２にプッシュラッチ１３を挿入して取り付ける構造を示しているが、その他の実施形態として、例えばヒンジ機構を設け、該ヒンジ機構により、機器取り付け板１１を回動可能に取り付けることもできる。
【００１９】
図４および図５には、側枠フレーム２に固定された機器取り付け用の背面板５の説明図を示し、このうち、図４の機器取り付け用の背面板５は板状の構造を有し、図５の機器取り付け用の背面板５は格子状の構造を有している。
【００２０】
該機器取り付け用の背面板５は、金属製の板材を略コ字状に折り曲げて構成されている。該機器取り付け用の背面板５は、樹脂製の側枠フレーム２の前面開口部側の左右の側枠部に固定される固定部５ａと、側面部５ｂと、該側面部５ｂよりも背面側に位置する背面部５ｃから構成され、該背面部５ｃに電気電子機器７が取り付けられる。図４、図５に示すように、固定部５ａと、側面部５ｂとは背面板５の左右に屈曲形成されている。
【００２１】
本発明では、該機器取り付け用の背面板５の固定部５ａを、該機器取り付け用の背面板５の左右端部に形成した上で、側面部５ｂの奥行き方向長さを、側枠フレーム２の奥行き長さよりも長く設計し、該固定部５ａを側枠フレーム２に取り付けて、背面部５ｃの上下に放熱用の開口部８を設けている。当該構成により、壁面９に取り付けた時、壁面９と側枠フレーム２の間に空隙が形成され、熱を空隙から排出させることができる。また、該箱体内の電気電子機器７から発生した熱を、カバー３のカバー放熱部４から排出するだけでなく、該機器取り付け用の背面板５の上下端部に位置する放熱用の開口部８からも排出可能とし、排熱効率の向上を図っている。特に、図５に示すように、該機器取り付け用の背面板５を格子状の構造とした場合、該機器取り付け用の背面板５の上下端部の開口部８の他に、該格子状の部位からも熱を排出することができる。なお、埃等の侵入の為に上下に位置する開口部８を設ける場合が出来ない場合には、図６に示すように、機器取り付け用の背面板５の取り付けを側枠フレーム２の上下端部に形成し、機器取り付け用の背面板５の左右端部に位置する放熱用の開口部８から排熱することも可能である。
図５、図６については、側枠フレーム２の取付位置とは異なる方向から排熱を行う方法について記載したが、図７には、機器取り付け用の背面板５を側枠フレーム２の左右端部に取り付け、機器取り付け用の背面板５にスリットを有する側面部５ｄにより開口部を形成した構造が示されている。図７の構造においては、該機器取り付け用の背面板５の上下端部の放熱用の開口部８だけでなく、機器取り付け用の背面板５の左右に形成したスリットを有する側面部５ｄの開口部からも排熱することも可能であり、効果的に排熱を促すことができるものである。
図８は図７に示した構造に機器取り付け用の背面板５の上下端部に壁面を有する側面部５ｅを取り付けた構造を示している。図８の構造においては、壁面を有する側面部５ｅにより上下への放熱を抑制し、機器取り付け用の背面板５の左右に形成したスリットを有する側面部５ｄの開口部からの排熱のみの構造とすることも可能であり、埃等の侵入を防ぎながら排熱を促すことができるものである。
なお、図７、図８は機器取り付け用の背面板５を側枠フレーム２の左右端部に取り付けた構造について説明したが、図６のように機器取り付け用の背面板５を側枠フレーム２の上下端部に取り付けた構造に代用できることは勿論である。
【００２２】
図９および図１０には、該電気電子機器収納用箱１を壁面９に取り付けた側面図を示している。図９では、機器取り付け用の背面板５と壁面９を当接させ、該当接面をねじ止めして壁面９に取り付けている。壁面９への取り付け手段は、特に限定されず、例えば、嵌め込みや両面テープなどによる固定手段を用いることができる。図１０では、該側枠フレーム２の四隅に各々底上げ部１０を介在させ、該底上げ部１０と壁面９を当接させて取り付けている。図１０の底上げ部１０は、中央にねじ穴となる貫通口を有する円筒状のゴムブッシュからなるが、本実施形態には特に限定されず、例えば、側枠フレーム２の上辺と下辺の各々に持上部材を渡す構造とすることもできる。
【００２３】
図１０に示す、底上げ部１０を備える構造とした上で、更に、図５に示す、格子状の機器取り付け用の背面板５構造を採用した場合、背面部５ｃと壁面９と間に空隙が出来るため、面ファスナー等のバンドを用いて電気電子機器７を固定する作業が容易になるという効果も得られる。
【００２４】
図１１には、図５を背面側から見て、さらに上部の開口部８にスリットを有する開口部１５を形成した保護部材１４で覆った図を示している。
【００２５】
本発明は、機器取り付け用の背面板５の上下端部を開口部８として形成した上で、該機器取り付け用の背面板５を、壁面９と側枠フレーム２との間に配置する構成により、該箱体内の機器から発生した熱を該開口部８から効果的に排出可能としたものであるが、該開口部８から埃が侵入し、電気電子機器７に埃が貯まるのを防止するために、図１１に示すような、スリットを有する開口部１５を形成した保護部材１４を取り付けることもできる。該保護部材１４を脱着容易な手段で取り付けることにより、埃が貯まる心配が無い空間に設置される場合には、収納機器の上部のみを開口させ収納機器の放熱効果を高めることができる等、状況により自由に構成することができる。
【符号の説明】
【００２６】
１  電気電子機器収納用箱
２  側枠フレーム
３  カバー
４  カバー放熱部
５  機器取り付け用の背面板
５ａ  固定部
５ｂ  側面部
５ｃ  背面部
５ｄ  スリットを有する側面部
５ｅ  壁を有する側面部
６  取付手段
７  電気電子機器
８  開口部
９  壁面
１０  底上げ部
１１  機器取り付け板
１２  取付穴
１３  プッシュラッチ
１４  保護部材
１５  スリットを有する開口部
【図１】
0005541899.tif 000002
【図２】
0005541899.tif 000003
【図３】
0005541899.tif 000004
【図４】
0005541899.tif 000005
【図５】
0005541899.tif 000006
【図６】
0005541899.tif 000007
【図７】
0005541899.tif 000008
【図８】
0005541899.tif 000009
【図９】
0005541899.tif 000010
【図１０】
0005541899.tif 000011
【図１１】
0005541899.tif 000012